(57)【要約】【課題】電線カバーのガタ付きをなくす。【解決手段】ハウジング２０の側壁には、ロック部２８が形成され、カバー３０の側壁には、一対のガイド溝６０を切り込むことで両ガイド溝６０間に撓み可能となったロック片７０が形成される。カバー３０は、ロック部２８及びロック片７０の係合に基づいてハウジング２０にロックされる。ハウジング２０の側壁においてロック部２８を挟む両側位置には、カバー３０の組付け時に一対のガイド溝６０と摺接してカバー３０を正規のロック位置へ誘導するガイド部２９が突設されている。ガイド溝６０には、組付け時に対応するガイド部２９の摺接面によって圧潰されるガタ詰め部８０が設けられている。【選択図】  図６
2004348988.tif 000002
【特許請求の範囲】
【請求項１】
ハウジングの電線導出面から延出される電線を収容して前記電線導出面を覆う電線カバーの取付構造であって、
前記ハウジング及び前記電線カバーのいずれか一方の側壁には、ロック部が形成され、他方の側壁には、一対のガイド溝を切り込むことで両ガイド溝間に撓み可能となった被ロック部が形成され、これらロック部及び被ロック部の係合により前記電線カバーのハウジングに対するロックがなされており、
前記一方の側壁において前記ロック部を挟む両側位置には、前記電線カバーの組付け時に前記一対のガイド溝と摺接して前記電線カバーを正規のロック位置へ誘導するガイド部が突設され、
前記ガイド部または前記ガイド溝には、組付け時に相手側の摺接面によって圧潰可能なガタ詰め部が設けられていることを特徴とする電線カバーの取付構造。
【請求項２】
前記ガタ詰め部は、前記被ロック部と非接触とされる離れた位置に設けられていることを特徴とする請求項１に記載の電線カバーの取付構造。
【発明の詳細な説明】
【０００１】
【発明の属する技術分野】
本発明は、ハウジングに対する電線カバーの取付構造に関する。
【０００２】
【従来の技術】
従来より、防水コネクタのハウジングの後部に組付けられた電線カバーが知られている。この電線カバーは、前面と底面が開放された箱形をなし、ハウジングの後部に外嵌されるようになっている。また、電線カバーの左右の両側壁には、ハウジング側の突部と弾性的に係合可能な係止片が形成されている。この係止片の中央には、係合孔が設けられており、ここに突部が嵌め込まれる。また、係止片は、側壁の前端縁より切り込まれた一対の溝部によって隔てられ、両溝部間にて撓み可能となっている。さらに、この溝部には、ハウジングのガイドリブが係合可能とされている。この種の電線カバーの取付構造は、以下の特許文献１に開示されている。
【０００３】
【特許文献１】
特開２００１−９３６１１公報
【０００４】
【発明が解決しようとする課題】
上記従来の技術では、係止片の回動軌跡に起因して電線カバーの組付け後に突部と係合孔の孔壁との間に隙間が生じ、もって電線カバーが前後に位置ズレすることがある。また、溝部とガイドリブとの間には、寸法公差に起因して隙間が生じることがあり、電線カバーが上下に位置ズレすることもある。そうすると、電線カバーは、全体として位置ズレしてガタ付くから、かかる電線カバーを組付けたコネクタが自動車の配線構造に用いられると、走行中にガタ付き音を発生させる懸念がある。
本発明は上記のような事情に基づいて完成されたものであって、電線カバーのガタ付きをなくすことを目的とする。
【０００５】
【課題を解決するための手段】
上記の目的を達成するための手段として、請求項１の発明は、ハウジングの電線導出面から延出される電線を収容して前記電線導出面を覆う電線カバーの取付構造であって、前記ハウジング及び前記電線カバーのいずれか一方の側壁には、ロック部が形成され、他方の側壁には、一対のガイド溝を切り込むことで両ガイド溝間に撓み可能となった被ロック部が形成され、これらロック部及び被ロック部の係合により前記電線カバーのハウジングに対するロックがなされており、前記一方の側壁において前記ロック部を挟む両側位置には、前記電線カバーの組付け時に前記一対のガイド溝と摺接して前記電線カバーを正規のロック位置へ誘導するガイド部が突設され、前記ガイド部または前記ガイド溝には、組付け時に相手側の摺接面によって圧潰可能なガタ詰め部が設けられている構成としたところに特徴を有する。
請求項２の発明は、請求項１に記載のものにおいて、前記ガタ詰め部は、前記被ロック部と非接触とされる離れた位置に設けられているところに特徴を有する。
【０００６】
【発明の作用及び効果】
＜請求項１の発明＞
ガイド部またはガイド溝には、組付け時に相手側の摺接面によって圧潰可能なガタ詰め部が設けられているから、ガイド部とガイド溝との間に隙間が生じることがなく、電線カバーがハウジング側に緊密に組付けられる。その結果、電線カバーのガタ付きがなくなる。
【０００７】
＜請求項２の発明＞
ガタ詰め部が被ロック部と非接触とされる離れた位置に設けられているから、被ロック部の撓み動作と干渉することがなく、被ロック部の円滑な撓み動作が保障される。
【０００８】
【発明の実施の形態】
以下、本発明の一実施形態を図１ないし図９によって説明する。防水コネクタ１０は、端子金具を収容可能なハウジング２０と、このハウジング２０の後部に組付けられる電線カバー（以下、単にカバー３０という）とを備える。なお、以下の説明において前後方向は、ハウジング２０及びカバー３０の互いの嵌合面側を前方とする。
【０００９】
ハウジング２０は、合成樹脂製で一体に形成されており、ハウジング本体部２１と、その周囲を取り囲むフード部２２とから構成されている。ハウジング本体部２１には、雌側の端子金具（図示せず）を収容可能な複数のキャビティ２３が前後に貫通して設けられている。キャビティ２３の内部には、端子金具に弾性的に係止可能なランス（図示せず）が設けられている。一方、フード部２２は、後面を開放させて略円筒状に形成されており、ハウジング本体部２１との間に形成される嵌合空間には、相手側のハウジング（図示せず）が嵌合可能とされている。また、ハウジング２０の嵌合空間には、弾性材よりなる防水部材（図示せず）が装着されており、相手側のハウジングとの間を水密状としている。
【００１０】
ハウジング２０の上壁には、図１に示すように、相手側のハウジングをロックする撓み可能なロックアーム２４が設けられている。ハウジング２０の上壁においてロックアーム２４を挟んだ左右両側には、保護壁２５が立ち上げられ、この保護壁２５の内側面には、ロックアーム２４の過度撓みを規制する規制壁２６が略水平に突設されている。また、ハウジング２０の側壁には、端子金具を係止するリテーナ４０を挿通するためのリテーナ挿通口２７が開口されている。なお、本実施形態の端子金具は、リテーナ４０及びランスによる二重の係止がなされるようになっている。
【００１１】
そして、ハウジング２０の左右両側壁の前端部には、図２に示すように、カバー３０側のロック片７０（後述する本発明の被ロック部）と係合することでカバー３０をハウジング２０に取り付け可能とする左右一対のロック部２８が突設されている。また、ハウジング２０の左右両側壁においてロック部２８を間に挟んだ上下２位置には、リブ状のガイド部２９が上下一対となって突設されている。各ガイド部２９は、一端がハウジング２０の前端面に臨みつつ後方へ延出され、カバー３０との掛り代に相当する分の長さを有して設けられている。そして、各ガイド部２９には、カバー３０の組付け時にカバー３０側のガイド溝６０（後述する）が係合可能となっており、ガイド溝６０と摺接してカバー３０を正規のロック位置へ誘導するようにしている。
【００１２】
また、ハウジング２０の前端面（本発明の電線導出面）からは、図３に示すように、キャビティ２３内の複数の端子金具に接続された電線群５０が延出されている。この電線群５０は、ハウジング２０の前端面から出てすぐ下方へ折れ、その途中部分がテープ巻きによって結束されるとともにコルゲートチューブ５２に外装されている。コルゲートチューブ５２は、周方向に沿った複数の突条５３により蛇腹状に形成され屈曲可能となっている。コルゲートチューブ５２の突条５３には、カバー３０側のチューブ保持部３２（後述する）が係合するようになっており、カバー３０が組み付けられるのに伴いコルゲートチューブ５２の軸方向への遊動が規制されるようになっている。
【００１３】
カバー３０は、図６に示すように、合成樹脂により一体に形成され、ハウジング２０の前端面から延出される電線群５０を内包してハウジング２０に嵌合される取付部３１と、この取付部３１の下方に連設されてコルゲートチューブ５２を保持するチューブ保持部３２とから構成されている。
カバー３０のチューブ保持部３２は、図７に示すように、第１及び第２の分割部材３３Ａ，３３Ｂと、これらを周方向に開閉可能に連結するヒンジ部３４とから構成され、各分割部材３３Ａ，３３Ｂを組付けることにより、全体として筒状に形成されるようになっている。ヒンジ部３４の中央部には、図７に示すように、このヒンジ部３４の曲げを容易とする剛性低下部３４Ａが貫設されている。また、各分割部材３３Ａ，３３Ｂの内周は、コルゲートチューブ５２の外周にほぼ沿って円弧３３Ｃに切り欠かれており、ここにはコルゲートチューブ５２の突条５３と凹凸状に嵌合する環溝３５（図９参照）が形成されている。
【００１４】
第１分割部材３３Ａは、取付部３１に対して固定的に連設される一方、第２分割部材３３Ｂは、ヒンジ部３４を回動中心として軸直交方向に回動可能となっている。そして、第２分割部材３３Ｂには、撓み可能な弾性撓み片３６が相手側の外壁側方へ向けて突出して形成されており、これに対応する第１分割部材３３Ａには、弾性撓み片３６の保有するロック孔３６Ａ（図８参照）に係入可能なロック突部３７が形成されている。弾性撓み片３６においてロック孔３６Ａの後方は、このロック孔３６Ａを形成するための型抜き用に開放されている。また、弾性撓み片３６及びロック突部３７は、各分割部材３３Ａ，３３Ｂの底面の左右両端側の２箇所（図５参照）と、各分割部材３３Ａ，３３Ｂの左右両側壁のうちヒンジ部３４が設けられた側と反対側の側壁の１箇所（図６及び図９参照）と、合計３箇所に設けられている。両分割部材３３Ａ，３３Ｂ間にコルゲートチューブ５２を挟み込み、その状態で弾性撓み片３６のロック孔３６Ａにロック突部３７を嵌合させると、コルゲートチューブ５２が抜け止め状態で挟着保持されるようになっている。
【００１５】
一方、カバー３０の取付部３１は、図６に示すように、平板状の天井部３１Ａと、この天井部３１Ａの略Ｕ字形の外縁部から垂設されて電線群５０の側方を覆う電線覆い部３１Ｂとを備え、前面の開口部が組付け時にハウジング２０の前端面にて閉塞されるようになっている。
天井部３１Ａの左右両端部には、側方へ少し突出してその突出先端を上方へ立ち上げた突縁部３９が設けられている。突縁部３９は、ハウジング２０の保護壁２５を内側にするようにして組付けられるようになっている。
【００１６】
また、電線覆い部３１Ｂには、図８に示すように、前端縁の上下２位置から後方へ切り込みが入れられることで上下一対のガイド溝６０が形成されている。電線覆い部３１Ｂのうち上下の両ガイド溝６０を隔てる部分には、左右一対の撓み可能なロック片７０（本発明の被ロック部）が、ハウジング２０側の左右両側壁側方へ向けて片持ち状に突出形成されている。ロック片７０は、全体として略方形板状に形成され、その中央部にハウジング２０側のロック部２８と嵌合可能な係合孔７１を保有している。ロック片７０において係合孔７１の後方は、この係合孔７１を形成するため型抜き用に開放されている。
【００１７】
そして、電線覆い部３１Ｂのガイド溝６０の内壁面のうちロック片７０から離れた内壁面には、図６及び図７に示すように、ガタ詰め部８０が形成されている。具体的にガタ詰め部８０は、ガイド溝６０の前記内壁面においてロック片７０側へ僅かに突出して前後方向に延出されている。このガタ詰め部８０は、カバー３０がハウジング２０に組み付けられたとき、ハウジング２０側のガイド部２９の摺接面によって圧潰可能となっている。すなわち、ガタ詰め部８０とロック片７０との間の隙間の高さは、ハウジング２０側のガイド部２９の幅よりも小さく設定されている。
【００１８】
次に本実施形態の作用を説明する。まず、ハウジング２０の前端面から延出される電線群５０のテープ巻きされた部分を覆うようにコルゲートチューブ５２を外装した後、このコルゲートチューブ５２にカバー３０のチューブ保持部３２を挟着させる。その状態で、ハウジング２０の前端面にカバー３０の取付部３１の前面を正対させ、さらにカバー３０をハウジング２０側へ押し込む。すると、カバー３０のガイド溝６０にハウジング１０のガイド部２９が進入を開始し、且つ、ガタ詰め部８０の先端が対応するガイド部２９に当接して圧潰する。ガタ詰め部８０を潰しながらカバー３０を押し込み、カバー３０をガイド部２９に沿って移動させる。すると、ロック片７０は、撓み変形しつつロック部２８に乗り上がり、ロック部２８を越えたところで弾性復元して係止孔７１にロック部２８を嵌め入れる。こうしてカバー３０が正規のロック位置に至ると、ハウジング２０の前端面から延出される電線群５０は、カバー３０によって案内保護されて下方へ延出されるようになる。
【００１９】
以上のように本実施形態によれば、カバー３０のガイド溝６０に、組付け時に対応するガイド部２９の摺接面によって圧潰されるガタ詰め部８０が設けられているから、ガイド部２９とガイド溝６０との間にクリアランスが生じることがなく、カバー３０がハウジング２０に対して緊密に嵌合するようになる。その結果、車両走行中のカバー３０のガタ付き音の発生を阻止することができる。
また、ガタ詰め部８０がロック片７０と非接触とされる離れた位置に設けられているから、ロック片７０の撓み動作と干渉することがなく、円滑な撓み動作が保障される。
【００２０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２１】
（１）上記実施形態では、カバー側にロック片、ハウジング側にロック部を設けていたが、本発明においては、カバー側にロック部、ハウジング側にロック片を設けても構わない。
（２）上記実施形態では、ガイド溝側にガタ詰め部を設けていたが、本発明においては、ガイド部側にガタ詰め部を設けても構わない。その場合、ガイド部の摺接面のうちロック片と非接触とされる離れた位置の摺接面にガタ詰め部を設けるとよい。
【００２２】
（３）上記実施形態では、ガイド部をリブ状に設けていたが、本発明においては、ガイド部を格別の長さを有しない単なる突部としても構わない。
【００２３】
（４）本発明においては、先端側に爪部を有するロックアームをロック片とし、このロックアームの爪部が係入される係合孔をロック部としても構わない。
【図面の簡単な説明】
【図１】本発明の一実施形態の斜視図
【図２】右側面図
【図３】図２の要部断面図
【図４】左側面図
【図５】底面図
【図６】電線カバーの斜視図
【図７】電線カバーの正面図
【図８】電線カバーの右側面図
【図９】電線カバーの平面図
【符号の説明】
１０…防水コネクタ
２０…ハウジング
２８…ロック部
２９…ガイド部
３０…カバー
５０…電線群
６０…ガイド溝
７０…ロック片（被ロック部）
８０…ガタ詰め部
【図１】
2004348988.tif 000003
【図２】
2004348988.tif 000004
【図３】
2004348988.tif 000005
【図４】
2004348988.tif 000006
【図５】
2004348988.tif 000007
【図６】
2004348988.tif 000008
【図７】
2004348988.tif 000009
【図８】
2004348988.tif 000010
【図９】
2004348988.tif 000011